(57)【要約】【課題】容器内へのしごきゴムの嵌入を適切かつ精度良く行う。【解決手段】挿入口から内部に向かうにつれて内径が徐々に小さくなるテーパー形状の貫通孔２ｂが設けられた治具を、貫通孔２ｂと容器本体１ａの開口部とが対向するように配置する。しごきゴム１ｅを挿入口にセットする。貫通孔２ｂの途中までしか挿入できない外径を有する棒状部材４ａを挿入口より挿入し、しごきゴム１ｅの一部が対向部位Ｍより突出するまで、貫通孔２ｂ内のしごきゴム１ｅを押し込むことによって、しごきゴム１ｅを容器本体１ａの途中まで嵌め入れる。その後、途中まで嵌め入れられたしごきゴム１ｅを容器本体１ａ内に完全に嵌め入れる。【選択図】図８
2010000175.tif 000002
【特許請求の範囲】
【請求項１】
容器にしごきゴムを嵌め入れるしごきゴム嵌入方法において、
挿入口から内部に向かうにつれて内径が徐々に小さくなるテーパー形状の貫通孔が設けられた治具を、前記貫通孔と前記容器の開口部とが対向するように配置する配置工程と、
前記しごきゴムを前記挿入口にセットするセット工程と、
前記貫通孔の途中までしか挿入できない外径を有する第１の棒状部材を前記挿入口より挿入し、前記しごきゴムの一部が前記対向部位より突出するまで、前記貫通孔内の前記しごきゴムを押し込むことによって、前記しごきゴムを前記容器の途中まで嵌め入れる予備嵌入工程と、
前記容器の途中まで嵌め入れられた前記しごきゴムを前記容器に完全に嵌め入れる本嵌入工程と
を有することを特徴とするしごきゴム嵌入方法。
【請求項２】
前記第１の棒状部材の先端部位の外径は、前記挿入口の内径よりも小さく、かつ、前記対向部位の内径よりも大きいことを特徴とする請求項１に記載されたしごきゴム嵌入方法。
【請求項３】
前記第１の棒状部材の先端部位の外径は、前記しごきゴムの内径よりも大きいことを特徴とする請求項２に記載されたしごきゴム嵌入方法。
【請求項４】
前記容器の開口部の内径は、前記対向部位の内径以上であることを特徴とする請求項２に記載されたしごきゴム嵌入方法。
【請求項５】
前記予備嵌入工程は、
前記貫通孔の内周面に設けられ、前記貫通孔の延在方向に突出して延在する突出部によって、前記貫通孔内の前記しごきゴムを変形させる工程を有することを特徴とする請求項１から４のいずれかに記載されたしごきゴム嵌入方法。
【請求項６】
前記本嵌入工程は、
前記第１の棒状部材の先端部位よりも外径が小さい先端部位を有する第２の棒状部材を前記挿入口より挿入し、前記貫通孔内の前記しごきゴムを更に押し込む工程を有することを特徴とする請求項１から５のいずれかに記載されたしごきゴム嵌入方法。
【請求項７】
前記本嵌入工程は、
前記しごきゴムの更なる押し込みによって、前記貫通孔内の前記対向部位より前記しごきゴムを押し出す工程を有することを特徴とする請求項６に記載されたしごきゴム嵌入方法。
【請求項８】
前記セット工程は、
前記しごきゴムのセットに先立ち、前記貫通孔内に潤滑剤を塗布する工程を有することを特徴とする請求項１から７のいずれかに記載されたしごきゴム嵌入方法。
【発明の詳細な説明】
【技術分野】
【０００１】
本発明は、容器にしごきゴムを嵌め入れるしごきゴム嵌入方法に関する。
【背景技術】
【０００２】
例えば、特許文献１には、マスカラ、アイライナー、アイシャドウといった液体化粧料容器において、”しごきゴム”と呼ばれる弾性部材をボトル状容器の開口部に嵌入した構成が開示されている。このしごきゴムは、略円筒形状を有するとともに、その内周面には、塗布軸に付着した液体化粧料を掻き取るため、或いは、液体化粧料が付着したブラシをしごくための突出部がリング状に設けられている。
【特許文献１】特開２００４−１８７８７８号公報
【発明の開示】
【発明が解決しようとする課題】
【０００３】
一般に、しごきゴムを容器内に嵌め入れる工程では、まず、容器の開口部にしごきゴムをセットし、次に、セットされたしごきゴムを下方にプレスするといった作業が行われる。しごきゴムは、プレス時に自己に加わる外力によって、弾性変形（縮み変形）しながら容器内に押し込まれる。しかしながら、実際の作業において、容器内へのしごきゴムの嵌入を適切かつ精度良く行うことは必ずしも容易ではない。なぜなら、しごきゴムは、その肉薄さゆえに極めて容易に変形し易いという特性を有するので、セットされた向きが微妙にズレていると、プレス時に意図した通りの変形が生じないからである。このような不自然な変形が生じた場合には、大きな力でプレスしたとしても、しごきゴムを最後まで押し込むことは困難であり、容器から浮いた状態になってしまう。一方、しごきゴムの嵌入をあまりシビアにせずにルーズに嵌入した場合には、使用時に、しごきゴムが容器より容易に脱落してしまうといった別の問題が生じる。
【０００４】
そこで、本発明の目的は、容器内へのしごきゴムの嵌入を適切かつ精度良く行うことである。
【課題を解決するための手段】
【０００５】
かかる課題を解決すべく、本発明は、容器にしごきゴムを嵌め入れるしごきゴム嵌入方法において、挿入口から内部に向かうにつれて内径が徐々に小さくなるテーパー形状の貫通孔が設けられた治具を、貫通孔と容器の開口部とが対向するように配置する配置工程と、しごきゴムを挿入口にセットするセット工程と、貫通孔の途中までしか挿入できない外径を有する第１の棒状部材を挿入口より挿入し、しごきゴムの一部が対向部位より突出するまで、貫通孔内のしごきゴムを押し込むことによって、しごきゴムを容器の途中まで嵌め入れる予備嵌入工程と、容器の途中まで嵌め入れられたしごきゴムを容器に完全に嵌め入れる本嵌入工程とを有するしごきゴム嵌入方法を提供する。
【０００６】
ここで、本発明において、第１の棒状部材の先端部位の外径は、挿入口の内径よりも小さく、かつ、対向部位の内径よりも大きいことが好ましい。また、第１の棒状部材の先端部位の外径は、しごきゴムの内径よりも大きいことが好ましい。また、容器の開口部の内径は、対向部位の内径以上であることが望ましい。
【０００７】
本発明において、予備嵌入工程は、貫通孔の内周面に設けられ、貫通孔の延在方向に突出して延在する突出部によって、貫通孔内のしごきゴムを変形させる工程を有していてもよい。
【０００８】
本発明において、本嵌入工程は、第１の棒状部材の先端部位よりも外径が小さい先端部位を有する第２の棒状部材を挿入口より挿入し、貫通孔内のしごきゴムを更に押し込む工程を有していてもよい。また、本嵌入工程は、しごきゴムの更なる押し込みによって、貫通孔内の対向部位よりしごきゴムを押し出す工程を有することが好ましい。
【０００９】
また、セット工程は、しごきゴムのセットに先立ち、貫通孔内に潤滑剤を塗布する工程を有することが好ましい。
【発明の効果】
【００１０】
本発明によれば、本嵌入に先立ち予備嵌入を行い、第１の棒状部材を用いて、貫通孔にセットされたしごきゴムを押し込む。これによって、しごきゴムは、セットされた向きに微妙なズレがあったとしても、貫通孔のテーパー形状に沿って導かれ、適切な向きに一様に補正される。また、第１の棒状部材は、貫通孔の途中までしか挿入できない外径を有しているので、これによって押し込まれるしごきゴムは、容器の途中まで嵌め入れられた半入れ状態になる。そして、予備嵌入によって、向きが補正された半入れ状態のしごきゴムに対して本嵌入を行えば、容器内へのしごきゴムの嵌入を適切かつ精度良く行うことができる。
【発明を実施するための最良の形態】
【００１１】
図１は、液体化粧料容器（以下、単に「容器」という）の要部断面図である。この容器１は、ボトル状の容器本体１ａと、キャップ１ｂとを主体に構成され、マスカラ、アイライナー、アイシャドウといった液体化粧料を収容するために用いられる。キャップ１ｂの内側には、ブラシ１ｃが先端に設けられた塗布軸１ｄが取り付けられている。このブラシ１ｃは、容器本体１ａの開口部にキャップ１ｂを取り付けた際、容器本体１ａ内に収容された液体化粧料に浸るようになっており、これによって、ブラシ１ｃに液体化粧料が付着する。また、容器本体１ａの開口部には、任意の弾性材によって形成された、略円筒形状を有するしごきゴム１ｅが嵌入されている。。このしごきゴム１eの内周面には、塗布軸１ｄに付着した液体化粧料を掻き取るため、或いは、液体化粧料が付着したブラシ１ｃをしごいて付着量を調整するために、リング状の突出部１ｆが設けられている。
【００１２】
図２は、このようなしごきゴム１ｅを容器本体１ａの開口部に嵌入する際に用いられる治具の外観斜視図である。この治具２には、略プレート状の基部２ａと、その上下を貫通する複数の貫通孔２ｂと、貫通孔２ｂのそれぞれに設けられた突出部２ｃと、上下を貫通する位置決め孔２ｄとを有する。後述するように、貫通孔２ｂは、容器本体１ａへしごきゴム１ｅを嵌入するための主体的な役割を担っており、この嵌入作業を複数の容器本体１ａに対して一括で行うべく、列状に並んで複数設けられている。また、基部２ａの左右に設けられた位置決め孔２ｄは、後述するプレス板４，５が有する位置決め棒と係合して、両者の位置合わせを行うために設けられている。
【００１３】
図３は、貫通孔２ｂの断面図である。貫通孔２ｂは、少なくとも一部において、下方に向かうにしたがって断面が徐々に縮径するテーパー形状を有する。ここで、貫通孔２ｂの上端（挿入口）の内径をｒ１、途中部位の内径をｒ２、下端の内径をｒ３とすると、貫通孔２の内径は、上端（内径＝ｒ１）から内側に向かうにつれて、徐々に小さくなっていく。そして、途中部位（内径＝ｒ２）において、下端の内径ｒ３相当に拡径した後、その大きさのまま下端に至る。上端の内径ｒ１の条件としては、しごきゴム１ｅの挿入を可能にすべく、しごきゴム１ｅの外径よりも大きいことが要求される。また、途中部位の内径ｒ２の条件としては、テーパーの内周面に沿ったしごきゴム１ｅの弾性変形（径方向の変形）を生じさせるべく、しごきゴム１ｅの外径よりも小さいことが要求される。さらに、下端の内径ｒ３の条件としては、容器本体１ａの頂部と係合可能な径であることをが要求される。なお、本実施形態では、貫通孔２ｂの一部（上方）のみにテーパーを形成しているが、その理由は、それ以外のストレート状の部位（下方）を容器本体１ａとの係合部位として用いているからである。したがって、別の手段を用いて、容器本体１ａと治具２とを係合させる場合には、下方のストレート状の部位は必ずしも必要ない。この場合、貫通孔２ｂの全体をテーパー状に形成すればよい。
【００１４】
また、貫通孔２ｂの内周面には、貫通孔２ｂの延在方向に突出して延在する突出部２ｃが設けられている。この突出部２ｃを設ける理由は、貫通孔２ｂ内に挿入されたしごきゴム１を径方向に部分的に変形させることによって、容器本体１ａの開口部に対してしごきゴム１ｅを嵌入し易くするためである。図示したような構成は、例えば、基部２ａを２つに分割して、貫通孔２ｂのテーパーに応じた傾斜辺を有するプレート部材（突出部２ｃ）をサンドイッチすることによって得ることができる。
【００１５】
つぎに、図４から図１０を参照しつつ、上述した治具２を用いて、容器本体１ａ内にしごきゴム１ｅを嵌入する作業手順について説明する。この作業は、容器本体１ａのセット工程、治具２の配置工程、しごきゴム１ｅのセット工程、しごきゴム１ｅの予備嵌入工程、しごきゴム１ｅの本嵌入工程といった流れて行われる。
【００１６】
図４は、容器本体１ａのセット工程の説明図である。専用の固定台３を用意して、これに設けられた挿入部３ａのそれぞれに容器本体１ａを挿入・セットする。
【００１７】
図５は、治具２の配置工程の説明図である。固定台２にセットされた容器本体１ａの上方に治具２を配置する。その際、貫通孔２ｂと容器本体１ａの開口部とが対向するようにする。これによって、貫通孔２ｂと容器本体１ａの開口部とが連通する。
【００１８】
図６は、しごきゴム１ｅのセット工程の説明図である。この工程では、しごきゴム１ｅのセットに先立ち、貫通孔２ｂ内に潤滑剤を塗布する。潤滑剤としては、スクワランやＦＴＧといった油類、或いは、アルコール類等を用いることができる。その上で、しごきゴム１ｅを上端の挿入口より貫通孔２ｂ内にセットする。この状態において、容器本体１ａの開口部は、貫通孔２ｂにおける上述した対向部位Ｍ（内径＝ｒ２）に位置することになる。なお、以後におけるしごきゴム１ｅの嵌入をスムーズに行うためには、容器本体１ａの開口部の内径は、対向部位Ｍの内径ｒ２以上であることが好ましい。
【００１９】
図７は、しごきゴム１ｅの予備嵌入工程の説明図である。この工程では、予備プレス板４を用いて、貫通孔２ｂ内にセットされたしごきゴム１ｅをプレスする。この予備プレス板４は、治具２側の貫通孔２ｂと対向する位置に設けられた複数の棒状部材４ａを有する。この棒状部材４ａは、予備プレス板４の取付部から下方に向かって直線状に延在しているとともに、貫通孔２ｂの途中までしか挿入できない外径を有する。具体的には、棒状部材４ａの先端部位の外径は、貫通孔２ｂの挿入口の内径ｒ１よりも小さく、かつ、対向部位Ｍの内径ｒ２よりも大きい。この外径が内径ｒ１よりも大きいと、棒状部材４ａを貫通孔２ｂ内に挿入できず、しごきゴム１ｅをプレスすることができない。また、これが内径ｒ２よりも小さいと、しごきゴム１ｅのプレスが不均一になるのみならず、挿入した棒状部材４ａが貫通孔２ｂを貫通してしまう。また、棒状部材４ａによるしごきゴム１ｅのプレスを有効に行うべく、棒状部材４ａの先端部位の外径は、しごきゴム１ｅの内径よりも大きくなっている。
【００２０】
図８は、予備嵌入されたしごきゴム１ｅの状態を示す図である。貫通孔２ｂの挿入口より挿入された棒状部材４ａを下方に変位させると、これに追従してしごきゴム１ｅも下方に変位する。下方に変位するしごきゴム１ｅは、貫通孔２ｂのテーパーに導かれて、真下に向くように向きが補正され、かつ、このテーパーの縮径によって弾性変形（径歪み変形）を伴いながら、貫通孔２ｂ内に押し込まれる。この押し込みによって、しごきゴム１ｅの一部が貫通孔２ｂの対向部位Ｍよりも下方に突出し、この貫通孔２ｂと連通した容器本体１ａの開口部内へと進む。そして、下方に変位する棒状部材４ａの先端部位が貫通孔２ｂの内周面と当接して、これ以上の下方への変位が規制された時点で、しごきゴム１ｅの変位も終了する。これにより、しごきゴム１ｅは、容器本体１ａの途中まで嵌め入れられ、その一部が容器本体１ａの開口部から依然として突出した状態（半入れ状態）となる。
【００２１】
図９は、しごきゴム１ｅの本嵌入工程の説明図である。上述した予備嵌入工程に続く本嵌入工程では、本プレス板５を用いて、貫通孔２ｂ内にセットされたしごきゴム１ｅをプレスする。この本プレス板５は、治具２側の貫通孔２ｂと対向する位置に設けられた複数の棒状部材５ａを有する。この棒状部材５ａは、本プレス板５の取付部から下方に向かって直線状に延在しているとともに、貫通孔２ｂを貫通できるように、その先端部位は、棒状部材４ａの先端部位よりも小さい外径を有する。
【００２２】
図１０は、本嵌入されたしごきゴム１ｅの状態を示す図である。貫通孔２ｂの挿入口より挿入された棒状部材５ａを下方に変位させると、半入れ状態のしごきゴム１ｅが下方に変位する。下方に変位するしごきゴム１ｅは、弾性変形を伴いながら、貫通孔２ｂ内に更に押し込まれる。この更なる押し込みによって、貫通孔２ｂ内の対向部位Ｍよりしごきゴム１ｅが押し出され、貫通孔２ｂより抜ける。これにより、しごきゴム１ｅは、容器本体１ａ内に完全に嵌め入れられる。
【００２３】
その後、本プレス板５を取り除いた後、固定台３から容器本体１ａを取り外すことによって、一連の嵌入作業が完了する。
【００２４】
このように、本実施形態によれば、本嵌入に先立ち予備嵌入を行い、棒状部材４ａを用いて、貫通孔２ｂにセットされたしごきゴム１ｅを押し込む。この棒状部材４ａは、本嵌入で用いられる棒状部材５ａよりも大径なので、しごきゴム１ｅは、その頭部全体が棒状部材４ａの先端と当接し、ほぼ均一な力で押し込まれる。そして、しごきゴム１ｅは、セットされた向きに微妙なズレがあったとしても、貫通孔２ｂのテーパー形状に沿って導かれ、適切な向きに一様に補正される。また、棒状部材４ａは、貫通孔２ｂの途中までしか挿入できない外径を有しているので、これによって押し込まれるしごきゴム１ｅは、容器本体１ａの途中まで嵌め入れられた半入れ状態になる。そして、予備嵌入によって、向きが補正された半入れ状態のしごきゴム１ｅに対して本嵌入を行えば、容器本体１ａ内へのしごきゴム１ｅの嵌入を適切かつ精度良く行うことができる。
【００２５】
また、本実施形態によれば、貫通孔２ｂの内周面に突出部２ｃを設けることで、しごきゴム１ｅの径歪み変形が生じ易くなるので、特に予備嵌入時において、貫通孔２ｂのテーパーに沿った変形をより的確に行うことが可能になる。
【００２６】
なお、容器本体１ａ内へのしごきゴム１ｅの嵌入をより精度良く行うために、予備嵌入工程でのプレスを複数回行ってもよく、また、本嵌入工程でのプレスを複数回行ってもよい。
【図面の簡単な説明】
【００２７】
【図１】液体化粧料容器の要部断面図
【図２】本実施形態に係る治具の外観斜視図
【図３】貫通孔の断面図
【図４】容器のセット工程の説明図
【図５】治具の配置工程の説明図
【図６】しごきゴムのセット工程の説明図
【図７】予備嵌入工程の説明図
【図８】予備嵌入されたしごきゴムの状態を示す図
【図９】本嵌入工程の説明図
【図１０】本嵌入されたしごきゴムの状態を示す図
【符号の説明】
【００２８】
１  液体化粧料容器
１ａ  容器本体
１ｂ  キャップ
１ｃ  ブラシ
１ｄ  塗布軸
１ｅ  しごきゴム
２  治具
２ａ  基部
２ｂ  貫通孔
２ｃ  突出部
２ｄ  位置決め孔
３  固定台
３ａ  挿入部
４  予備プレス板
４ａ  棒状部材
５  本プレス板
５ａ  棒状部材
【図１】
2010000175.tif 000003
【図２】
2010000175.tif 000004
【図３】
2010000175.tif 000005
【図４】
2010000175.tif 000006
【図５】
2010000175.tif 000007
【図６】
2010000175.tif 000008
【図７】
2010000175.tif 000009
【図８】
2010000175.tif 000010
【図９】
2010000175.tif 000011
【図１０】
2010000175.tif 000012